(57)【要約】【課題】ハウジングの大きさを増加させることなく熱交換が行われる面積を増加させ、排気ガスをより効率的に流動させ、より速やかに冷却水を加熱できる排気熱回収用排気パイプの構造を提供する。【解決手段】本発明の排気熱回収用排気パイプは、前方から流入した排気ガスを後方へ流出するように排気パイプに連結され、冷却水が流入する第１ニップル及び冷却水が流出する第２ニップルが形成されたハウジングと、第１ニップルと第２ニップルとがハウジングの内部において連通され、冷却水が流動する冷却水通路が複数の層をなして形成されるように直径が異なる複数個が結合されハウジング内に取り付けられた熱交換パイプと、を含み、隣り合う冷却水通路の間に排気ガスが流動する排気ガス通路が層をなして形成され、第１ニップルは第２ニップルより車両進行方向後方に配置されることを特徴とする  。【選択図】図２
2014040990.tif 000002
【特許請求の範囲】
【請求項１】
排気ガスの熱によって冷却水を加熱する排気熱回収用排気パイプの構造であって、
車両進行方向前方から流入した排気ガスを後方へ流出するように前記排気パイプに連結され、前記冷却水が流入する第１ニップルと、前記冷却水が流出する第２ニップルと、が形成されたハウジングと、
前記第１ニップルと前記第２ニップルとが前記ハウジングの内部において連通され、前記冷却水が流動する冷却水通路が複数の層をなして形成されるように直径が異なる複数個が結合され前記ハウジング内に取り付けられた熱交換パイプと、
を含み、
隣り合う前記冷却水通路の間に排気ガスが流動する排気ガス通路が層をなして形成され、前記第１ニップルは前記第２ニップルより車両進行方向後方に配置されることを特徴とする排気熱回収用排気パイプの構造。
【請求項２】
前記第１ニップルは前記ハウジングの下端に形成され、前記第２ニップルは前記ハウジングの上端に形成されることを特徴とする請求項１に記載の排気熱回収用排気パイプの構造。
【請求項３】
前記熱交換パイプには表面から突出した折り畳み部が形成されることを特徴とする請求項１又は２に記載の排気熱回収用排気パイプの構造。
【請求項４】
前記折り畳み部は、前記熱交換パイプの内周面と外周面において、窪んだ地点と膨らんだ地点とが繰り返し形成されるように、前記熱交換パイプが連続して折り曲げられて形成されたことを特徴とする請求項３に記載の排気熱回収用排気パイプの構造。
【請求項５】
複数の前記熱交換パイプのうちの最も内側に配置された熱交換パイプは、最も内側に配置された熱交換パイプを開閉させるバイパスバルブが結合されることを特徴とする請求項４に記載の排気熱回収用排気パイプの構造。
【請求項６】
前記折り畳み部に形成された前記窪んだ地点と膨らんだ地点とは、前記排気パイプの長さ方向に沿って、一側は車両進行方向前方側に偏り、他側は車両進行方向後方側に偏った模様をなすように形成された第１折り畳み部と、前記第１折り畳み部と連結され、前記第１折り畳み部と前記排気パイプの長さ方向に沿って対称をなすように反対方向に偏った模様をなすように形成された第２折り畳み部と、を含むことを特徴とする請求項４に記載の排気熱回収用排気パイプの構造。
【発明の詳細な説明】
【技術分野】
【０００１】
本発明は排気熱回収用排気パイプの構造に係り、より詳しくは、排気ガスの排気熱と冷たい冷却水との熱交換が行われる面積を増大させ、冷却水の流動方向を排気ガスの流動方向とは反対に配置して、冷却水の温度をより速かに高めることができる排気熱回収用排気パイプの構造に関する。
【背景技術】
【０００２】
冬季に冷気に露出された車両は、エンジンの正常作動および燃料の燃焼効率を増加させるために、走行前又は走行初期時にウォーミングアップ（ｗａｒｍｉｎｇ  ｕｐ）が要求される。
排気熱回収装置は冬季の初期走行時に捨てられる排気熱によって冷たい冷却水を速かに加熱する装置であって、エンジンのウォーミングアップ時間を短縮して、エンジン内部の摩擦損失の低減を通じて燃費を改善するために開発されている（例えば特許文献１を参照）。
【０００３】
図１は、従来の排気熱回収用排気パイプを単純化して示す断面図である。
図１に示すように、エンジンから生成された排気ガスが流動する排気パイプ１の所定位置には、直径が拡張された筒状のハウジング２が取り付けられる。
【０００４】
また、ハウジング２には（エンジンおよびラジエータを循環する）冷却水が出入りする入口と出口とが各々形成され、ハウジング２の内部には冷却水が流動するチャネルが形成されるように熱交換板３が配置される。さらに、ハウジング２の内部に位置した排気管には、（電気的信号に応じて）前記排気パイプ１を開閉できるようにバイパスバルブ４が結合され、ハウジング２の内部において排気パイプの表面には孔４ａが穿孔される。従って、バイパスバルブ４が閉じられると、ハウジング２の内部において、排気ガスが熱交換板３が位置した空間に流動できる通路（矢印で示す部分）が形成される。
【０００５】
従って、エンジンが正常温度である場合には、バイパスバルブ４を開いて多量の排気ガスが熱交換板３と接触せずに（出口側に）流動し、エンジンが低い温度である場合には、バイパスバルブ４を閉じて冷却水をハウジング２の内部に循環させることによって、冷却水を加熱するように構成されている。
【先行技術文献】
【特許文献】
【０００６】
【特許文献１】特開２００８−１７５４６１号公報
【発明の概要】
【発明が解決しようとする課題】
【０００７】
しかし、従来の構成において、熱交換板３は単純なパイプ形状であって、熱交換が行われる面積に限界があり、排気ガスの移動経路が単純ではないために流動抵抗が発生するという問題点があった。
従って、本発明は、ハウジングの大きさを増加させることなく熱交換が行われる面積を増加させ、（渦流発生を誘導することにより）排気ガスをより効率的に流動させ、冷却水の流動方向を排気ガスの流動方向とは反対に設定してより速やかに冷却水を加熱できる排気熱回収用排気パイプの構造を提供することに主な目的がある。
【課題を解決するための手段】
【０００８】
このような目的を達成するために、本発明の排気熱回収用排気パイプの構造は、排気ガスの熱によって冷却水を加熱する排気熱回収用排気パイプの構造であって、車両進行方向前方から流入した排気ガスを後方へ流出するように排気パイプに連結され、冷却水が流入する第１ニップル及び冷却水が流出する第２ニップルが形成されたハウジングと、第１ニップルと第２ニップルとがハウジングの内部において連通され、冷却水が流動する冷却水通路が複数の層をなして形成されるように直径が異なる複数個が結合されハウジング内に取り付けられた熱交換パイプと、を含み、隣り合う冷却水通路の間に排気ガスが流動する排気ガス通路が層をなして形成され、第１ニップルは第２ニップルより車両進行方向後方に配置されることを特徴とする。
【０００９】
また、前記第１ニップルはハウジングの下端に形成され、前記第２ニップルはハウジングの上端に形成されることを特徴とする
また、前記熱交換パイプには表面から突出した折り畳み部が形成されることを特徴とする。
また、前記折り畳み部は、熱交換パイプの内周面と外周面において、窪んだ地点と膨らんだ地点とが繰り返し形成されるように、熱交換パイプが連続して折り曲げられて形成されたことを特徴とする。
【００１０】
また、複数の前記熱交換パイプのうちの最も内側に配置された熱交換パイプは、最も内側に配置された熱交換パイプを開閉させるバイパスバルブが結合されることを特徴とする。
【００１１】
また本発明は、折り畳み部に形成された窪んだ地点と膨らんだ地点とが、排気パイプの長さ方向に沿って、一側は車両進行方向前方側に偏り、他側は車両進行方向後方側に偏った模様をなすように形成された第１折り畳み部と、第１折り畳み部と連結され、第１折り畳み部と排気パイプの長さ方向に沿って対称をなすように反対方向に偏った模様をなすように形成された第２折り畳み部と、を含むことを特徴とする。
【発明の効果】
【００１２】
前記のような構成の本発明は、冷却水の流動方向が排気ガスの流動方向とは反対になるように構成されて熱交換効率をより増大させることができ、冷却水はハウジングの下側から流入して上側へ流出するように構成されて加熱されることにより、密度が低くなった冷却水はハウジング内でより円滑に流動することができる。
【００１３】
さらに、一側面は排気ガスと接触し、他側面は冷却水と接触して、熱交換が行われる熱交換パイプの表面には、折り畳み部が形成され、ハウジングの大きさの増加がなくても熱交換面積を増大させてより迅速に冷却水を加熱する効果がある。
【００１４】
折り畳み部は、ヘリンボーンパターンを形成するように互いに対称をなすように形成された第１折り畳み部と第２折り畳み部で構成され、排気ガスの流動時に渦流形成を誘発して（排気ガスの流動低下による）エンジン出力の低下を防止することができる。
【図面の簡単な説明】
【００１５】
【図１】従来の排気熱回収用排気パイプを単純化して示す断面図である。
【図２】本発明の好ましい実施形態による排気熱回収用排気パイプを長さ方向に沿って切開して示す斜視図である。
【図３】本発明の好ましい実施形態による排気熱回収用排気パイプの断面図である。
【図４】従来の熱交換パイプと本発明の熱交換パイプの断面長さを単純化して示す図面であり、（ａ）は従来構造による熱交換パイプの断面長さであり、（ｂ）は本発明による熱交換パイプの断面長さである。
【図５】本発明の他の実施形態による排気熱回収用排気パイプを長さ方向に沿って切開して示す斜視図である。
【発明を実施するための形態】
【００１６】
以下に、添付図面を参照しながら、本発明の好ましい実施形態による排気熱回収用排気パイプの構造をより詳細に説明する。
図２は、本発明の好ましい実施形態による排気熱回収用排気パイプを、長さ方向に沿って切開して示す斜視図であり、図３は、本発明の好ましい実施形態による排気熱回収用排気パイプの断面図である。
図２および図３に示すように、本発明の排気パイプ１（１ａ、１ｂ）は、排気ガスの熱によって冷却水を加熱するためにハウジング１０および複数の熱交換パイプ２０が取り付けられた構造を有する。
【００１７】
ハウジング１０は、直径が排気パイプ１より拡張された筒状又はパイプ状を有する。また、ハウジング１０は、排気ガスが車両進行方向の前後方向（長さ方向）に沿って流動するように排気パイプの所定位置に連結されるか、又はマフラーなどに一体で構成される。
【００１８】
ハウジング１０には、（エンジンおよびラジエータを循環する）冷却水が内部へ出入り可能に、冷却水の入口となる第１ニップル１１ａと、冷却水の出口となる第２ニップル１１ｂと、が各々形成される。本発明の好ましい実施形態において、第１ニップル１１ａは、第２ニップル１１ｂより車両進行方向の後方に配置される。また、加熱された冷却水は比重が小さくなることを考慮し、第１ニップル１１ａはハウジング１０の下端に形成され、第２ニップル１１ｂはハウジング１０の上端に形成される。
【００１９】
また、ハウジング１０の内部には直径が相互に異なる複数の熱交換パイプ２０が取り付けられ、複数の熱交換パイプ２０の間に冷却水の入口となる第１ニップル１１ａと、出口となる第２ニップル１１ｂと、がハウジング１０の内部で連通され、チャンネル（通路）を形成するように取り付けられる。従って、熱交換パイプ２０の間において、冷却水が流動する冷却水通路が（ハウジング内部において放射状に）直径が異なる複数の層をなして形成される。
【００２０】
例えば、熱交換パイプ２０の間において形成された冷却水通路は、熱交換パイプ２０の一側末端と他側末端において内側から、隣り合う熱交換パイプ２０の末端又は外側から隣り合う熱交換パイプ２０の末端に順次交差して（溶接などにより）接合又は密封させ、図２に示すように（垂直方向に沿って）冷却水が流動するように熱交換パイプ２０を連結する通路をさらに形成することにより形成される。
【００２１】
従って、冷却水通路は、ハウジング１０内において、（周縁に沿って漸次的に拡張された）層をなすように形成される。この時、隣り合う冷却水通路の間に排気ガスが流動する排気ガス通路が層をなして形成される。
図３は、本発明の好ましい実施形態による排気熱回収用排気パイプの断面図であり、図４は、従来の熱交換パイプと本発明の熱交換パイプの断面長さを単純化して示す図面であり、（ａ）は従来構造による熱交換パイプの断面長さであり、（ｂ）は本発明による熱交換パイプの断面長さである。
図３で矢印で示すように、排気パイプは、冷却水の内側と外側に排気ガスが流動し、排気ガスの内側と外側に冷却水が流動するように構成される。
【００２２】
本発明の熱交換パイプ２０は、熱交換パイプ２０の表面から突出した折り畳み部２１が形成される。図３に示すように、
折り畳み部２１は、熱交換パイプ２０の内周面と外周面において、窪んだ地点と膨らんだ地点とが繰り返し形成されるように（例えば、鋸歯状、正弦波などのように、凹凸が繰り返される模様が形成されるように）、熱交換パイプ２０が（図４の断面模様のように）連続して折り曲げられることによって形成される。
【００２３】
また、本発明の実施形態において、折り畳み部２１は、（ヘリンボーンパターンをなすように）第１折り畳み部２１ａと第２折り畳み部２１ｂとを含む。すなわち、折り畳み部２１に形成された窪んだ地点と、膨らんだ地点とは、排気パイプ１の車両進行方向前後方向（長さ方向）に沿って、一側は排気ガスの入口１ａ側（すなわち、車両進行方向前方側）に偏り、他側は排気ガスの出口１ｂ側（すなわち、車両進行方向後方側）に偏った模様をなすように形成された第１折り畳み部２１ａと、第１折り畳み部２１ａと連結され、第１折り畳み部２１ａと排気パイプ１の長さ方向に従って対称をなすように反対方向に偏った模様をなすように形成された第２折り畳み部２１ｂと、で構成される。
【００２４】
図４に示すように、このようなヘリンボーンパターンの折り畳み部２１は、（従来の構造に比べ）断面長さを増加させて熱交換面積を増大させることができるだけでなく、流動する排気ガスおよび冷却水の渦流形成を誘導して流動速度を増大させることができる。
【００２５】
一方、前記のような渦流形成をより効率的に誘導するために、本発明の実施形態は、隣り合う熱交換パイプ２０は、垂直方向に向かい合う部分において、相異なる模様同士で向かい合うように構成される。
すなわち、本発明の熱交換パイプ２０は、第１折り畳み部２１ａと第２折り畳み部２１ｂとが周縁に沿って繰り返し連結された模様に形成される。この時、内側と外側に配置されて隣り合う２つの熱交換パイプ２０は、内側に位置した熱交換パイプの第１折り畳み部２１ａが外側に位置した熱交換パイプ２０の第２折り畳み部２１ｂと向かい合うように取り付けられる。
【００２６】
一方、本発明の実施形態は、エンジンが正常温度である時には、排気ガスが迅速に流動し、エンジンが低い温度である時には、排気ガスが冷却水と効率的に熱交換できるようにバイパスバルブ３０が付け加えられる。
すなわち、図２と図３に示すように、熱交換パイプ２０のうちの最も内側に配置された熱交換パイプには、前記最も内側に配置された熱交換パイプを（電気的信号に応じて）開閉させるように構成されたバイパスバルブ３０が取り付けられる。
【００２７】
図５は、本発明の他の実施形態による排気熱回収用排気パイプを長さ方向に沿って切開して示す斜視図である。
図５に示すように、排気ガスの流動抵抗又は誘導速度がハウジング１０内で急に変わることを防止するために、最も内側に配置された熱交換パイプの内周面を、折り畳み部２１が消された滑らかな面で構成することができる。
また、前述したように内周面を滑らかな面で構成することにより、最も内側に配置された熱交換パイプは、冷却水が所定温度まで加熱されて、バイパスバルブ３０が開放された時は、冷却水がさらに加熱されないように断熱層の機能を果たすことができる。
【００２８】
以上、本発明に関する好ましい実施形態を説明したが、本発明は前記実施形態に限定されず、本発明の属する技術範囲を逸脱しない範囲での全ての変更が含まれる。
【符号の説明】
【００２９】
１      排気パイプ
１ａ    排気パイプ（排気ガスの入口側）
１ｂ    排気パイプ（排気ガスの出口側）
１０      ハウジング
１１ａ    第１ニップル
１１ｂ    第２ニップル
２０      熱交換パイプ
２１      折り畳み部
２１ａ    第１折り畳み部
２１ｂ    第２折り畳み部
３０      バイパスバルブ
【図１】
2014040990.tif 000003
【図２】
2014040990.tif 000004
【図３】
2014040990.tif 000005
【図４】
2014040990.tif 000006
【図５】
2014040990.tif 000007